(57)【要約】【課題】コンテンツを再生する際におけるバッテリの消費電力を削減することができる「コンテンツ再生装置」を提供すること。【解決手段】再生制御手段１２の制御によって、重複コンテンツを再生する場合における車載バッテリ３の消費電力が最小となるようなソースに保有されている重複コンテンツを再生すること。【選択図】図１
2010067308.tif 000002
【特許請求の範囲】
【請求項１】
バッテリによって駆動可能とされているとともに、複数個のコンテンツのソースにそれぞれ保有されているコンテンツを、ユーザによる入力手段を用いた再生の指示にしたがって選択的に再生可能とされた再生手段を備えたコンテンツ再生装置であって、
前記複数個のコンテンツのソースのうちの２個以上のソースに保有されているコンテンツである重複コンテンツに対する前記再生の指示が行われた場合に、前記２個以上のソースのうちの前記重複コンテンツを再生する場合における前記バッテリの消費電力が最小となるような１個のソースに保有されている前記重複コンテンツが再生されるように前記再生手段を制御する再生制御手段を備えたこと
を特徴とするコンテンツ再生装置。
【請求項２】
前記複数個のコンテンツのソースに保有されている互いに同一の所定のコンテンツを再生した際における各ソースごとの前記バッテリの消費電力の測定結果に基づいて予め設定された前記重複コンテンツを再生する場合における前記バッテリの消費電力を削減するために各ソースのいずれに保有されている前記重複コンテンツを優先的に再生すべきかについての優先順位が記憶された優先順位記憶手段を備え、
前記再生制御手段は、前記優先順位記憶手段に記憶された前記優先順位に基づいて前記１個のソースを決定し、決定された前記１個のソースに保有されている前記重複コンテンツが再生されるように前記再生手段を制御すること
を特徴とする請求項１に記載のコンテンツ再生装置。
【請求項３】
前記ソースに保有されている前記コンテンツのリストを、このリスト中の前記コンテンツに対する前記再生の指示が許容された状態として表示部に表示可能とされたリスト表示処理手段を備え、
前記リスト表示処理手段は、前記複数個のコンテンツのソースにそれぞれ保有されている前記コンテンツのリストを、各ソースに保有されている前記コンテンツがひとまとめにされた単一のリストとして表示することが可能とされているとともに、前記単一のリスト中に同一の前記重複コンテンツが２個以上表示されないように当該単一のリスト中における同一の前記重複コンテンツの表示個数を１個に規制すること
を特徴とする請求項１または請求項２に記載のコンテンツ再生装置。
【請求項４】
前記再生手段による前記コンテンツの再生が可能とされた前記ソースは、その個数および種類の変更が可能とされており、
前記再生制御手段は、前記再生手段による前記コンテンツの再生が可能とされた前記ソースに前記変更が生じることにともなって、前記１個のソースの認識を変更可能とされていること
を特徴とする請求項１乃至請求項３のいずれか１項に記載のコンテンツ再生装置。
【発明の詳細な説明】
【技術分野】
【０００１】
本発明は、コンテンツ再生装置に係り、特に、バッテリによって駆動されるコンテンツ再生装置に関する。
【背景技術】
【０００２】
従来から、コンテンツ再生装置の一例として、車両に搭載された車載用オーディオ再生装置が採用されており、このような車載用オーディオ再生装置は、ＣＤプレイヤ、ハードディスクドライブおよびポータブルオーディオプレイヤ等の種々のオーディオソースに保有されている楽曲等のオーディオコンテンツを再生（音声出力）可能とされていた。
【０００３】
このような車載用オーディオ再生装置は、車両に搭載されたバッテリを電源として駆動されるようになっていた。
【０００４】
【特許文献１】特開２００７−４２１６９号公報
【特許文献２】特開２００７−１６４９１４号公報
【特許文献３】特開２００７−１８０６０２号公報
【発明の開示】
【発明が解決しようとする課題】
【０００５】
ところで、近年の環境問題の更なる深刻化や石油価格の高騰を受けて、車載用オーディオ再生装置等のコンテンツ再生装置においても、コンテンツを再生する際におけるバッテリの消費電力を削減することが益々重要な課題となっている。
【０００６】
そこで、本発明は、このような点に鑑みなされたものであり、コンテンツを再生する際におけるバッテリの消費電力を削減することができるコンテンツ再生装置を提供することを目的とするものである。
【課題を解決するための手段】
【０００７】
前述した目的を達成するため、本発明に係るコンテンツ再生装置は、バッテリによって駆動可能とされているとともに、複数個のコンテンツのソースにそれぞれ保有されているコンテンツを、ユーザによる入力手段を用いた再生の指示にしたがって選択的に再生可能とされた再生手段を備えたコンテンツ再生装置であって、前記複数個のコンテンツのソースのうちの２個以上のソースに保有されているコンテンツである重複コンテンツに対する前記再生の指示が行われた場合に、前記２個以上のソースのうちの前記重複コンテンツを再生する場合における前記バッテリの消費電力が最小となるような１個のソースに保有されている前記重複コンテンツが再生されるように前記再生手段を制御する再生制御手段を備えたことを特徴としている。
【０００８】
そして、このような構成によれば、再生制御手段の制御によって、重複コンテンツを再生する場合におけるバッテリの消費電力が最小となるようなソースに保有されている重複コンテンツを再生することができるので、コンテンツを再生する際におけるバッテリの消費電力を有効に削減することができる。
【０００９】
また、前記複数個のコンテンツのソースに保有されている互いに同一の所定のコンテンツを再生した際における各ソースごとの前記バッテリの消費電力の測定結果に基づいて予め設定された前記重複コンテンツを再生する場合における前記バッテリの消費電力を削減するために各ソースのいずれに保有されている前記重複コンテンツを優先的に再生すべきかについての優先順位が記憶された優先順位記憶手段を備え、前記再生制御手段は、前記優先順位記憶手段に記憶された前記優先順位に基づいて前記１個のソースを決定し、決定された前記１個のソースに保有されている前記重複コンテンツが再生されるように前記再生手段を制御するようにしてもよい。
【００１０】
そして、このような構成によれば、予め設定された優先順位に基づいて、重複コンテンツを再生する場合におけるバッテリの消費電力が最小となるようなソースを簡便に決定することができるので、重複コンテンツを迅速に再生することができる。
【００１１】
さらに、前記ソースに保有されている前記コンテンツのリストを、このリスト中の前記コンテンツに対する前記再生の指示が許容された状態として表示部に表示可能とされたリスト表示処理手段を備え、前記リスト表示処理手段は、前記複数個のコンテンツのソースにそれぞれ保有されている前記コンテンツのリストを、各ソースに保有されている前記コンテンツがひとまとめにされた単一のリストとして表示することが可能とされているとともに、前記単一のリスト中に同一の前記重複コンテンツが２個以上表示されないように当該単一のリスト中における同一の前記重複コンテンツの表示個数を１個に規制するようにしてもよい。
【００１２】
そして、このような構成によれば、バッテリの消費電力が最小となる１個のソースに保有されている重複コンテンツに対する再生の指示を、単一のリスト中の１個の当該重複コンテンツの表示に基づいて行うようにすることができるので、ユーザが、同一の重複コンテンツの２個以上のリスト表示によって混乱することはなく、消費電力が最小となるような重複コンテンツの再生の指示を迅速に行うことができる。
【００１３】
さらにまた、前記再生手段による前記コンテンツの再生が可能とされた前記ソースは、その個数および種類の変更が可能とされており、前記再生制御手段は、前記再生手段による前記コンテンツの再生が可能とされた前記ソースに前記変更が生じることにともなって、前記１個のソースの認識を変更可能とされていてもよい。
【００１４】
そして、このような構成によれば、コンテンツ再生装置に対するソースの増設、接続または交換等によってバッテリの消費電力が最小となる１個のソースが変更される場合にも柔軟に対応することができ、バッテリの消費電力をさらに確実に削減することができる。
【発明の効果】
【００１５】
本発明によれば、コンテンツを再生する際におけるバッテリの消費電力を削減することができ、ひいては、再生可能時間を延長することができ、環境保護にも貢献することができる。
【発明を実施するための最良の形態】
【００１６】
以下、本発明に係るコンテンツ再生装置の一例としての車載用オーディオ再生装置の実施形態について、図１および図２を参照して説明する。
【００１７】
図１は、本実施形態における車載用オーディオ再生装置１を示したものである。
【００１８】
図１に示すように、本実施形態における車載用オーディオ再生装置１は、大別して、マイコン２と、このマイコン２にそれぞれ接続された車載バッテリ３、入力手段としての入力操作部４、スピーカ７およびディスプレイ８とによって構成されており、この車載用オーディオ再生装置１は、車載バッテリ３の電力によって駆動可能とされている。
【００１９】
入力操作部４は、例えば、車両に備え付けのボタンスイッチ、ロータリエンコーダ、リニアエンコーダ、リモコンおよびディスプレイ８のタッチパネル等であってもよい。
【００２０】
さらに、図１に示すように、本実施形態において、マイコン２には、互いに異なる複数個（図１においては４個）のオーディオソース５（Ａ〜Ｄ）が接続されており、各オーディオソース５には、オーディオコンテンツ（複数個であってもよい）がそれぞれ保有されている。
【００２１】
なお、マイコン２に接続されるオーディオソース５の個数および種類は、ユーザによる手作業等によって変更することが可能とされている。このことは、後述するオーディオ再生部１１によるオーディオコンテンツの再生が可能とされたオーディオソース５が、その個数および種類を変更可能とされていることと同義である。
【００２２】
また、これらのオーディオソース５は、例えば、ＣＤプレイヤ（ＣＤチェンジャ）、ハードディスクドライブ、ポータブルオーディオプレイヤ（ｉＰｏｄ（商標）等）またはＳＤメモリカード等のオーディオコンテンツが記憶されたデバイス（メディア）であってもよい。
【００２３】
マイコン２について詳述すると、このマイコン２は、図１に示すように、リスト表示処理部１０を有しており、このリスト表示処理部１０には、入力操作部４、各オーディオソース５およびディスプレイ８がそれぞれ接続されている。
【００２４】
リスト表示処理部１０は、ユーザが入力操作部４を用いてプレイリストの表示を指示すると、マイコン２（リスト表示処理部１０）に接続されている各オーディオソース５から、各オーディオソース５にそれぞれ保有されているオーディオコンテンツを識別する識別情報を取得するようになっている。
【００２５】
この識別情報としては、例えば、曲名やアルバム名等のオーディオコンテンツ（オーディオデータ）に多重された付加情報を用いることができる。
【００２６】
そして、リスト表示処理部１０は、各オーディオソース５から取得された識別情報に基づいて、各オーディオソース５にそれぞれ保有されているオーディオコンテンツのリストとして、このリスト中のオーディオコンテンツに対する入力操作部４を用いた再生の指示が許容された状態のリストを生成し、生成されたリストをディスプレイ８に表示するようになっている。なお、このような再生の指示が許容された状態のリストとしては、例えば、オーディオコンテンツとしての楽曲の曲名が一覧表示されたリストであって、リスト中の所望の曲名を入力操作部４を用いてカーソル指定して選択した上で、リストと同一画面中に表示された再生を指示する操作ボタンを操作することによって、選択された曲名の楽曲が再生されるようなリストを挙げることができる。
【００２７】
また、本実施形態において、マイコン２は、再生手段としてのオーディオ再生部１１を有しており、このオーディオ再生部１１には、入力操作部４、各オーディオソース５およびスピーカ７がそれぞれ接続されている。
【００２８】
オーディオ再生部１１は、ユーザが、ディスプレイ８に表示されたリスト中の所望のオーディオコンテンツに対して、入力操作部４を用いた再生の指示を行うと、この再生の指示が行われたオーディオコンテンツを、このオーディオコンテンツが保有されているオーディオソース５から読み込むようになっている。
【００２９】
そして、オーディオ再生部１１は、オーディオソース５から読み込まれたオーディオコンテンツをスピーカ７を通じて再生（音声出力）するようになっている。
【００３０】
このようにして、各オーディオソース５にそれぞれ保有されている各オーディオコンテンツが、ユーザによる再生の指示にしたがってオーディオ再生部１１によって選択的に再生可能とされている。
【００３１】
さらに、本実施形態において、マイコン２は、再生制御手段としてのオーディオ再生制御部１２を有しており、このオーディオ再生制御部１２には、オーディオ再生部１１および各オーディオソース５が接続されている。
【００３２】
オーディオ再生制御部１２は、マイコン２（オーディオ再生制御部１２）に接続されている各オーディオソース５から、各オーディオソース５にそれぞれ保有されているオーディオコンテンツの識別情報（例えば、楽曲の曲名）を取得し、取得された識別情報に基づいて、各オーディオソース５のうちの２個以上のオーディオソース５に保有されているオーディオコンテンツである重複オーディオコンテンツを把握するようになっている。
【００３３】
そして、オーディオ再生制御部１２は、このように把握された重複オーディオコンテンツに対する再生の指示が行われた場合には、当該重複オーディオコンテンツが保有されている２個以上のオーディオソース５のうちの重複オーディオコンテンツを車載用オーディオ再生装置１において再生する場合における車載バッテリ３の消費電力が最小となるような１個のオーディオソース５に保有されている重複オーディオコンテンツが再生されるようにオーディオ再生部１１を制御するようになっている。
【００３４】
なお、重複オーディオコンテンツは、重複コンテンツの一形態である。また、重複オーディオコンテンツの簡単な例としては、オーディオソース５としてのＣＤプレイヤおよびハードディスクドライブのいずれにも保有されている同一の曲名の楽曲を挙げることができる。
【００３５】
さらに、このようなオーディオ再生制御部１２によるオーディオ再生部１１の制御に用いられる構成部として、マイコン２は、優先順位記憶手段としての優先順位記憶部１４を有している。
【００３６】
この優先順位記憶部１４には、重複オーディオコンテンツを再生する場合における車載バッテリ３の消費電力を削減するために、マイコン２に接続されている各オーディオソース５を含めた複数個のオーディオソースのいずれに保有されている重複オーディオコンテンツを再生すべきかについての優先順位が記憶されている。
【００３７】
この優先順位は、マイコン２に接続されている各オーディオソース５を含めた所定の複数個のオーディオソースに保有されている互いに同一の所定のオーディオコンテンツを再生した際における当該所定の複数個のオーディオソースごとの車載バッテリ３の消費電力の測定結果に基づいて予め設定されたものである。
【００３８】
オーディオ再生制御部１２は、このような優先順位記憶部１４に記憶された優先順位に基づいて、再生の指示が行われた重複オーディオコンテンツが保有されている２個以上のオーディオソース５の中から、当該重複オーディオコンテンツを再生する場合における車載バッテリ３の消費電力が最小となるような１個のオーディオソース５を決定するようになっている。そして、オーディオ再生制御部１２は、決定された１個のオーディオソース５に保有されている重複オーディオコンテンツが再生されるようにオーディオ再生部１１を制御するようになっている。
【００３９】
したがって、本実施形態によれば、オーディオ再生制御部１２の制御によって、車載バッテリ３の消費電力が最小となるようなオーディオソース５に保有されている重複オーディオコンテンツを再生することができるので、コンテンツを再生する際における車載バッテリ３の消費電力を有効に削減することができる。
【００４０】
また、予め設定された優先順位に基づいて、重複オーディオコンテンツを再生する場合における車載バッテリ３の消費電力が最小となるようなオーディオソース５を簡便かつ迅速に決定することができるので、重複オーディオコンテンツを迅速に再生することができる。
【００４１】
さらに、オーディオ再生制御部１２は、マイコン２に接続されているオーディオソース５の個数および種類が変更されることにともなって、前述した車載バッテリ３の消費電力が最小となるような１個のオーディオソース５の決定（認識）を変更することができるので、オーディオソース５の増設、接続または交換等によって当該１個のオーディオソース５が変更される場合にも柔軟に対応することができ、車載バッテリ３の消費電力をさらに確実に削減することができる。
【００４２】
上記構成に加えて、さらに、リスト表示処理部１０は、マイコン２に接続されている複数個のオーディオソース５に保有されているオーディオコンテンツのリストを、各オーディオソース５に保有されているオーディオコンテンツがひとまとめにされた単一のリストとして表示することが可能とされていてもよい。
【００４３】
さらに、この場合に、リスト表示処理部１０は、マイコン２に接続されているオーディオソース５に保有されている重複オーディオコンテンツを把握した上で、前記単一のリスト中に、同一の重複オーディオコンテンツが２個以上表示されないように、当該単一のリスト中における同一の重複オーディオコンテンツの表示個数を１個に規制することが好ましい。
【００４４】
そして、このような構成によれば、車載バッテリ３の消費電力が最小となる１個のオーディオソース５に保有されている重複コンテンツに対する再生の指示を、単一のリスト中の１個の当該重複コンテンツの表示に基づいて行うようにすることができるので、ユーザが、同一の重複コンテンツの２個以上のリスト表示によって混乱することはなく、消費電力が最小となるような重複コンテンツの再生の指示を迅速に行うことができる。
【００４５】
次に、本実施形態の作用の一例について説明する。
【００４６】
なお、初期状態において、車載用オーディオ再生装置１は停止状態となっており、また、優先順位記憶部１４には、重複オーディオコンテンツを再生する際における複数個のオーディオソース間での前述した優先順位が、図２に示すようなテーブルの状態として記憶されている。
【００４７】
ここで、図２に示すテーブルには、複数個のオーディオソースと、各オーディオソースに保有させた互いに同一の所定のオーディオコンテンツを測定用の車載用オーディオ再生装置によって再生した際における車載バッテリ３の消費電力の測定結果と、この測定結果に基づく優先順位とが格納されている。
【００４８】
なお、図２における車載バッテリ３の消費電力の測定条件は、測定用の車載用オーディオ再生装置をINE-S900R（アルパイン株式会社製）とし、車載バッテリ３の電圧を１４．４〔Ｖ〕とし、スピーカ７の出力をオフとしたものである。
【００４９】
また、図２においては、オーディオソース５として、ＳＤメモリカード（ＳＤ ）、ｉＰｏｄ（商標）、ハードディスクドライブ（ＨＤＤ）およびＣＤプレイヤ（ＣＤ）が挙げられている。そして、これらのオーディオソース５の測定結果に基づいて設定された前記優先順位は、ＳＤメモリカードが１番、ｉＰｏｄが２番、ハードディスクドライブが３番、ＣＤプレイヤが４番とされている。
【００５０】
そして、初期状態から、ユーザが、入力操作部４を用いて車載用オーディオ再生装置１の起動を指示すると、車載用オーディオ再生装置１が車載バッテリ３の電力によって起動される。
【００５１】
そして、車載用オーディオ再生装置１が起動された際に、オーディオ再生制御部１２およびリスト表示処理部１０は、マイコン２に接続された各オーディオソース５に保有されている識別情報に基づいて、各オーディオソース５に保有されている重複オーディオコンテンツを把握する。
【００５２】
次いで、ユーザが、入力操作部４を用いて各オーディオソース５に保有されたオーディオコンテンツがひとまとめにされた状態の前述した単一のリスト（プレイリスト）の表示を指示すると、リスト表示処理部１０は、各オーディオソース５にそれぞれ保有されているオーディオコンテンツの識別情報に基づいて、当該単一のリストを生成し、生成されたリストをディスプレイ８に表示する。
【００５３】
このとき、リスト表示処理部１０は、前記単一のリスト中に、同一の重複オーディオコンテンツが２個以上表示されないように、当該単一のリスト中における同一の重複オーディオコンテンツの表示個数を１個に規制する。
【００５４】
次いで、ユーザが、入力操作部４を用いてディスプレイ８に表示されたリスト中の重複オーディオコンテンツに対する再生の指示を行った場合には、オーディオ再生制御部１２は、優先順位記憶部１４に記憶された優先順位に基づいて、再生の指示が行われた重複オーディオコンテンツを再生する際の車載バッテリ３の消費電力が最小となる１個のオーディオソース５を決定する。
【００５５】
次いで、オーディオ再生制御部１２は、決定された１個のオーディオソース５に保有されている重複オーディオコンテンツを再生するための制御信号をオーディオ再生部１１に出力する。
【００５６】
そして、この制御信号に基づいて、オーディオ再生部１１は、前記１個のオーディオソース５に保有された重複オーディオコンテンツを当該オーディオソース５から読み込んで再生する。
【００５７】
このようにして、本実施形態によれば、重複オーディオコンテンツを低消費電力で再生することができる。
【００５８】
なお、本発明は、前述した実施の形態に限定されるものではなく、必要に応じて種々の変更が可能である。
【００５９】
例えば、リスト表示処理部１０は、オーディオコンテンツのリストとして、前述した単一のリストの他にも、オーディオソース５ごとに区別され、オーディオソース５の選択によって選択されたオーディオソース５に保有されているオーディオコンテンツの一覧が表示されるようなリストも表示可能とされていてもよい。
【００６０】
また、本発明は、オーディオコンテンツ以外のコンテンツ（例えば、ビデオコンテンツ）にも適用可能なものであり、さらに、バッテリによって駆動されるものであれば、車載用以外のコンテンツ再生装置にも適用可能なものである。
【図面の簡単な説明】
【００６１】
【図１】本発明に係るコンテンツ再生装置としての車載用オーディオ再生装置の実施形態を示すブロック図
【図２】車載用オーディオ再生装置の実施形態において、優先順位記憶部に記憶されたテーブルを示す図
【符号の説明】
【００６２】
１  車載用オーディオ再生装置
３  車載バッテリ
５  オーディオソース
１１  オーディオ再生部
１２  オーディオ再生制御部
【図１】
2010067308.tif 000003
【図２】
2010067308.tif 000004